(57)【特許請求の範囲】
【請求項１】
竹刀の柄に差し込まれて手を保護する鍔において、
前記鍔は、内側に柄に差し込まれる差し込み穴が形成され、
前記差し込み穴の周囲に放射状に複数の弾性片が形成され、
前記差し込み穴が竹刀の柄に差し込められると、前記弾性片が外側に押されながら、差し込み穴が差し込められた柄に四方から圧力が加えられ、鍔が柄の適正位置に固定され、
前記弾性片は、前記差し込み穴と同心円状に形成された複数の弾性部および前記複数の弾性部を連結する湾曲部を備えることを特徴とする剣道用鍔。
【請求項２】
前記弾性片は、基部が鍔の外郭部に連結され、前記基部から差し込み穴に至るまで左右非対称型の蛇状をなし、前記差し込み穴と同心円状に形成された第１及び第２の弾性部、及び前記第１及び第２の弾性部を互いに連結する湾曲部を含んで構成されており、
前記第１の弾性部の一端は前記基部に連結されており、第１の弾性部（１１４）の他端は前記湾曲部に連結されたことを特徴とする、請求項１に記載の剣道用鍔。
【請求項３】
前記第２の弾性部の外側面は、竹刀の柄に差し込められる差し込み穴の周囲を形成し、
この差し込み穴は、前記各弾性片間と弾性片の第１及び第２の弾性部間に形成された弾性吸収空間と連通されたことを特徴とする、請求項２に記載の剣道用鍔。
【請求項４】
前記弾性片は、前記弾性片の両端に鍔の外郭部に連結された基部を有し、第１の弾性部、第２の弾性部及び第３の弾性部が湾曲部によって互いに連結された左右対称型となっていることを特徴とする、請求項１に記載の剣道用鍔。
【請求項５】
前記鍔の外郭部の表面には、各種模様や、竹刀の所有者、使用者の級数又は段数、名前及び所属に対する内容が印刷や陰刻で表記されたことを特徴とする、請求項１から４のうちいずれか１項に記載の剣道用鍔。
【発明の詳細な説明】
【技術分野】
【０００１】
本発明は、剣道用鍔に関する。
【背景技術】
【０００２】
図１は、剣道用竹刀の構成を示した図で、図示したように、剣道用竹刀は、４本に分けられた刀身部２、先革３、中結革４及び弦５を含んで構成され、柄８に柄革７を被せ、鍔６と鍔止めを差し込んだ形態となっている。
【０００３】
一方、図１に示した竹刀において、鍔６は、稽古中に相手方の打撃から手を保護するためのものであるが、このような鍔６の素材と形態は、図２及び図３に示すように非常に多様に開発されている。
【０００４】
まず、図２に示した鍔は、特許文献１に開示されたもので、柄４の柄革４ａに鍔７が差し込まれ、この鍔７は柄４の上端の固定リング４ｃと鍔止め１１との間に位置し、鍔７は、単純に穿孔された円盤状となっており、別途の鍔止め１１によって移動を防止する構造となっている。また、この鍔止め１１は、前記鍔７より小さい外径からなり、その内側に小さい直径で穿孔された弾性材からなる内周縁部１４が形成され、この弾性材からなる内周縁部１４の圧迫力によって前記鍔７を固定できる構造となっている。
【０００５】
また、図３に示した鍔は、特許文献２に開示されたもので、これも、別途の鍔止めによって鍔（図示せず）を支える構造となっている。すなわち、この鍔止めは、革などからなる二重のシート部材１７ａ、１７ｂの内部に摩擦力を有する部材１６が縫製された３重構造のドーナツ形状となっており、前記部材１６の摩擦力によって鍔が移動しないように支える構造となっている。
【先行技術文献】
【特許文献】
【０００６】
【特許文献１】特開２０００―３５４６４９号
【特許文献２】特開２００８―１４２４４６号
【発明の概要】
【発明が解決しようとする課題】
【０００７】
しかし、前記のような従来の鍔においては、別途の鍔止めが必要となるため、竹刀全体の重さが増加するという問題があった。また、使用者の体型や趣向によって竹刀の柄を握る位置が異なる場合、この鍔の位置を移動させる必要があるが、このような従来の鍔止めを使用した鍔固定構造においては、鍔の位置調整が不可能であるという短所があった。また、竹刀ごとに柄の太さが少しずつ異なるので、鍔の内側の差し込み穴を柄の太さに合わせて一々手作業で削らなければならないという問題があった。さらに、一度削った鍔の差し込み穴は他の竹刀の柄に差し込むときには非常に緩くなるので、使用が不可能になるという問題があった。
【０００８】
そこで、本発明は、上記問題に鑑みてなされたものであり、本発明の目的とするところは、別途の鍔止めを差し込まなくても柄部分に固定可能であり、かつ、鍔の位置を容易に可変させることも可能な、新規かつ改良された剣道用鍔を提供することにある。
【課題を解決するための手段】
【０００９】
上記課題を解決するために、本発明のある観点によれば、竹刀の柄に差し込まれて手を保護する鍔において、前記鍔は、内側に柄に差し込まれる差し込み穴が形成され、前記差し込み穴の周囲に放射状に複数の弾性片が形成され、前記差し込み穴が竹刀の柄に差し込められると、前記弾性片が外側に押されながら、差し込み穴が差し込められた柄に四方から圧力が加えられ、鍔が柄の適正位置に固定されることを特徴とする剣道用鍔が提供される。
【００１０】
前記弾性片は、基部が鍔の外郭部に連結され、前記基部から差し込み穴に至るまで左右非対称型の蛇状をなし、前記差し込み穴と同心円状に形成された第１及び第２の弾性部、及び前記第１及び第２の弾性部を互いに連結する湾曲部を含んで構成されており、前記第１の弾性部の一端は前記基部に連結されており、第１の弾性部の他端は前記湾曲部に連結されてもよい。
【００１１】
前記第２の弾性部の外側面は、竹刀の柄に差し込められる差し込み穴の周囲を形成し、この差し込み穴は、前記各弾性片間と弾性片の第１及び第２の弾性部間に形成された弾性吸収空間と連通されてもよい。
【００１２】
前記弾性片は、両端が鍔の外郭部に連結された基部を有し、第１の弾性部、第２の弾性部及び第３の弾性部が湾曲部によって互いに連結された左右対称型となってもよい。
【００１３】
前記鍔の外郭部の表面には、各種模様や、竹刀の所有者、使用者の級数又は段数、名前及び所属に対する内容が印刷や陰刻で表記されてもよい。
【発明の効果】
【００１４】
以上説明したように本発明によれば、鍔自体に形成された差し込み穴の内径が複数の弾性片によって調節されるので、別途の鍔止めを使用せずに、鍔のみを竹刀の柄に差し込んで任意の位置に固定することができる。その結果、使用者の体型や趣向によって鍔の位置を可変させることができ、稽古中に発生可能な傷害を効果的に防止することができる。また、別途の鍔止めを使用しないので、竹刀の軽量化が可能である。さらに、太さの異なる柄に全て適用することができ、鍔の内側の差し込み穴を一々削っていた不便さと、竹刀の柄が細いとき、鍔の穴が大きくなって緩くなるという短所も解消することができる。
【図面の簡単な説明】
【００１５】
【図１】通常の竹刀を示す斜視図である。
【図２】従来の鍔を示す構成図である。
【図３】従来の他の鍔を示す構成図である。
【図４】本発明の第１の実施例による鍔を示す斜視図である。
【図５】図４の鍔を示す平面図である。
【図６】本発明の鍔が竹刀に差し込まれた状態を示す斜視図である。
【図７】図６のＡ―Ａ線断面図である。
【図８】本発明の第２の実施例による鍔を示す斜視図である。
【図９】本発明の第３の実施例による鍔を示す斜視図である。
【図１０】本発明の鍔に模様が印刷された状態を示す平面図である。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
図４は、本発明の第１の実施例による鍔を示す斜視図で、図５は、図４の鍔を示す平面図で、図６は、本発明の鍔が竹刀に差し込まれた状態を示す斜視図で、図７は、図６のＡ―Ａ線断面図である。
【００１８】
図４〜図７に示すように、本実施例では、竹刀Ｓの柄Ｈに差し込まれて手を保護する鍔１００が耐衝撃性に優れたナイロン、アセタール、ポリウレタン、ポリカーボネートなどの合成樹脂素材からなり、その内側に柄Ｈに差し込まれる差し込み穴１０２が形成され、この差し込み穴１０２の周囲に放射状に複数の弾性片１１０が形成される。そして、前記差し込み穴１０２が竹刀Ｓの柄Ｈに差し込められると、前記弾性片１１０が外側に押されながら、差し込み穴１０２が差し込まれた柄Ｈに四方から圧力が加えられ、鍔１００が柄Ｈの適正な位置に固定される構造となっている。
【００１９】
前記鍔１００の規格は、剣道規定上、外径が９ｃｍ以内に定められており、その材質は皮革やプラスチックを含む化学製品でなければならないが、本実施例では、ナイロン、アセタール、ポリウレタン、ポリカーボネートなどの合成樹脂を使用したので、その規格と素材を満足させることができる。
【００２０】
本発明において、前記鍔１００は、４〜８ｍｍの厚さで製作することが望ましいが、本実施例では６ｍｍの厚さで製作した。この鍔１００は、ポリカーボネート板材をレーザ加工によって円盤状に製作したり、ポリカーボネート棒を一定の厚さにスライスしてから旋盤加工によって製作したり、又は射出成形によって製作することができ、その製作方法は、製品の数量や製造業者の都合によって選択することができる。
【００２１】
本実施例による鍔１００は、概して円盤状となっており、その内側に柄に差し込められる差し込み穴１０２が約３０ｍｍの内径で形成されている。そして、この差し込み穴１０２の周囲には５個の弾性片１１０が放射状に形成されており、この弾性片１１０の基部１１２は鍔１００の外郭部１０１に連結されている。
【００２２】
本実施例において、前記弾性片１１０は、その基部１１２から差し込み穴１０２に至るまで左右非対称型の曲線状又は蛇状に延長されているが、これは、差し込み穴１０２と同心円状に形成された第１及び第２の弾性部１１４、１１６、及び前記第１の弾性部１１４と第２の弾性部１１６とを互いに連結する湾曲部１１８を含んで構成されており、前記第１の弾性部１１４の一端は前記基部１１２に連結されており、第１の弾性部１１４の他端は前記湾曲部１１８に連結されている。
【００２３】
本実施例において、前記第２の弾性部１１６の外側面１１７は、竹刀の柄に差し込まれる差し込み穴１０２の周囲を形成するようになるが、この差し込み穴１０２は、単純な円状の穴でなく、前記５個の弾性片１１０間と弾性片１１０の第１及び第２の弾性部１１４、１１６間に形成された弾性吸収空間１１１と連通されている。
【００２４】
本実施例において、前記弾性片１１０の第１及び第２の弾性部１１４、１１６の幅は約５ｍｍで、前記第１及び第２の弾性部１１４、１１６間の弾性吸収空間１１１の幅は約３ｍｍとなっている。これによって、竹刀Ｓの柄Ｈに鍔１００が差し込められれば、各弾性片１１０の第１及び第２の弾性部１１４、１１６が鍔１００の外郭部１０１側に押されながら弾性を保有するようになるので、各弾性片１１０により、差し込み穴１０２が差し込まれた柄Ｈに圧力が加えられるようになり、鍔１００は柄Ｈに差し込まれた状態を安定的に維持するようになる。
【００２５】
一方、前記鍔１００の外郭部１０１の枠は全体的に丸みを帯びるように面取りされており、前記柄Ｈに差し込まれる差し込み穴１０２を形成する各弾性片１１０の第２の弾性部１１６の外側面１１７にも、鍔１００を柄Ｈに差し込んだり、スライドしながら鍔１００の位置を移動させるとき、柄Ｈの表面の革に生じる損傷を防止できるように適正な半径に面取り加工を行うことが望ましい。しかし、この外側面１１７の面取り加工を大きくする場合、鍔１００の安定的な位置維持に逆効果をもたらすので、鍔１００を手で握って移動させるとき、柄Ｈの表面に損傷を与えない程度に面取り加工を行う必要がある。
【００２６】
このように構成された本実施例の鍔１００は、図６及び図７に示すように、竹刀Ｓの柄Ｈの下部から挿入すればよいが、鍔１００の内側に形成された差し込み穴１０２は、複数の弾性片１１０が柄Ｈと接触しながら収縮され、その結果、差し込み穴１０２の内径が広がり、鍔１００が柄Ｈに差し込まれる。そして、柄Ｈに差し込まれた鍔１００は、別途の鍔止めや固定リングを使用せずにも自体に形成された複数の弾性片１１０が四方から圧力を加えている状態であるので、相手方の打撃を含む単発的な外力を受けるとしても、柄の任意の位置に固定された状態を維持できるようになる。
【００２７】
一方、鍔１００を取り替えたり、鍔を他の竹刀に差し込もうとする場合、使用者は、竹刀を両脚間に挟んで固定した状態で鍔１００を一手又は両手で握って柄の下側に押せば、鍔１００を柄から取り出すことができる。
【００２８】
図８は、本発明の第２の実施例による鍔を示した図で、本実施例は、鍔１００の内側に形成された弾性片１１０が４個形成されている点で異なるだけで、図４〜図７に示した実施例と同一である。
【００２９】
本発明は、図４〜図８に示すように、蛇状の弾性片が４個又は５個からなることが適しているが、この弾性片の個数は、図面に示したものに限定するわけではない。
【００３０】
図９は、本発明の第３の実施例による鍔を示した図で、本実施例において、鍔１００の内側に形成される複数の弾性片１１０は、図４〜図８に示した実施例のような第１及び第２の弾性部１１４、１１６のみを有する蛇状となっておらず、弾性片１１０の両端が鍔１００の外郭部１０１に連結された基部１１２を有しており、第１の弾性部１１４、第２の弾性部１１６及び第３の弾性部１１５が湾曲部１１８、１１９によって互いに連結された左右対称型となっている。
【００３１】
本発明において、前記弾性片１１０は、図４〜図７に示すような左右非対称型又は図９に示すような左右対称型に製作することができ、その具体的な寸法と形態は、本発明の属する技術分野で通常の知識を有する者であれば本発明に記載された内容に基づいて多様に摸倣及び変形可能であるが、このような単純な摸倣及び変形が本発明の権利範囲に属することは自明である。
【００３２】
図１０は、本発明の第４の実施例による鍔を示した図で、本実施例では、鍔１００の外郭部１０１の表面に唐草模様を印刷しており、使用者の趣向によって多様な模様を印刷することができる。本発明は、このような模様の他にも、竹刀の所有者、使用者の級数又は段数、名前及び所属などを印刷したり、レーザ加工やＣＮＣ加工によって陰刻で表記することによって竹刀の所有者を容易に識別することができる。
【００３３】
以上説明したように、本発明の実施形態によれば、竹刀の柄の上部に差し込まれ、稽古中に相手方の打撃から手を保護する鍔の位置を使用者の体型や趣向によって容易に可変させるとともに、別途の鍔止めを差し込まなくても鍔自体の弾性によって柄部分に圧力が加えられた状態で固定され、竹刀の軽量化が可能であり、太さの異なる柄に全て適用することができ、鍔の内側の差し込み穴をサイズに合わせて一々手作業で削らなければならない不便さを解消し、竹刀の柄が細い場合、鍔の穴が大きくなって緩くなるという短所も解消することが可能である。
【００３４】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３５】
Ｓ    竹刀
Ｈ    柄
１００    鍔
１０１    外郭部
１０２    差し込み穴
１１０    弾性片
１１１    弾性吸収空間
１１２    基部
１１４    第１の弾性部
１１５    第３の弾性部
１１６    第２の弾性部
１１８、１１９    湾曲部
【図１】
0005401415.tif 000002
【図２】
0005401415.tif 000003
【図３】
0005401415.tif 000004
【図４】
0005401415.tif 000005
【図５】
0005401415.tif 000006
【図６】
0005401415.tif 000007
【図７】
0005401415.tif 000008
【図８】
0005401415.tif 000009
【図９】
0005401415.tif 000010
【図１０】
0005401415.tif 000011